(57)【特許請求の範囲】
【請求項１】
ローソクの形に似せた外形を有する擬似ローソク体と、ローソクの炎に似せた外形を有して前記擬似ローソク体の上端に配置される透光性の擬似炎体と、この擬似炎体を内側から光らせる電気発光体と、を備えた電子ローソクにおいて、
前記電気発光体が１周期の間に少なくとも３回は他とは異なる強度で発光するようにして、前記電気発光体の発光強度を周期的に変化させる発光体点灯回路を備え、
前記発光体点灯回路は、少なくとも３個の出力チャンネルを有すると共に各出力チャンネルが１周期の間の発光強度の時間的変化に対応して順次に切り換わる構成となっている１個のＩＣと、１周期の間に時間的に変化する各発光強度の各々に見合った抵抗値を有し、その一端が各々に対応する出力チャンネルに接続されていると共に、他端が前記電気発光体に接続されている出力チャンネルの数と同一数の点灯電流規定用の抵抗素子とを具備し、かつ少なくとも３個の抵抗素子は、他とは異なる発光強度となるよう抵抗値が選定されていることを特徴とする電子ローソク。
【請求項２】
前記発光体点灯回路が、前記電気発光体の発光強度を１周期の間に略三角波状ないし略鋸歯状に変化させるよう構成されている請求項１の電子ローソク。
【請求項３】
前記ＩＣの出力チャンネルの数が５〜７の範囲にある請求項１又は２の電子ローソク。
【請求項４】
前記発光体点灯回路には、前記擬似炎体あるいは擬似ローソク体に触れる度に点灯と消灯を交互に切り換えるためのタッチ式スイッチが配設されている請求項１〜３のいずれか１の電子ローソク。
【請求項５】
前記擬似炎体は、光拡散材が分散混入されている光透過性材料からなる請求項１〜４のいずれか１の電子ローソク。
【請求項６】
前記電気発光体が白色光放射型発光体であって、この白色光放射型発光体に上部側は赤〜橙系色に着色されて下部側は青系色に着色された光フィルタが被せられている請求項１〜５のいずれか１の電子ローソク。
【発明の詳細な説明】
【０００１】
【発明の属する技術分野】
本発明は電子ローソク（蝋燭）に関し、詳しくは、ローソクの形に似せた外形を有する擬似ローソク体の上端にローソクの炎に似せた外形を有して配置されている透光性の擬似炎体を内側から電気発光体の出す光で光らせて点灯させるタイプの電子ローソクに関する。
【０００２】
【従来の技術】
かかる電子ローソクの従来技術として、図７に示すように、ローソクの形に似せた柱状外形を有する擬似ローソク体５１の上端にローソクの炎に似せた外形を有して配置されている透光性の擬似炎体５２を内側から電気式発光体（図示省略）の光で点灯する電子ローソク５０がある（実用新案登録公報第３０３１１７０号参照）。電子ローソク５０の場合、電気式発光体（例えばＬＥＤ）が出す光で明るく点灯した擬似炎体５２が人間の目にローソクの炎として映る。
【０００３】
そして、この電子ローソク５０では、電気式発光体の発光強度が１周期の間に強弱２段に切り換えられながら周期的に変化する。すなわち、図８の電気回路図に示すように、制御回路（図示省略）による発光強度の切り換え周期で開閉（オン・オフ）を繰り返す電子スイッチ５４がオフの期間は、抵抗素子５５の抵抗値で規定される電流に対応した弱い発光強度ＩａでＬＥＤ（電気式発光体）５３が電池Ｅを点灯用電源として発光する。又、逆に電子スイッチ５４がオンの期間は、抵抗素子５５の抵抗値で規定される電流と抵抗素子５６の抵抗値で規定される電流との合計電流に対応する強い発光強度ＩｂでＬＥＤ５３が発光する。尚、スイッチ５７は点灯・消灯用スイッチである。
【０００４】
したがって、ＬＥＤ５３は、点灯中、図９のグラフに示すように、電子スイッチ５４のオン・オフの切換え周期と同期して発光強度が強弱２段の発光強度Ｉａ，Ｉｂの間で交互に変化しながら発光することになる。その結果、ＬＥＤ５３の光で点灯した擬似炎体５２は、ゆらぎがあるように見えて炎の感じが幾分は出る。
【０００５】
【発明が解決しようとする課題】
しかしながら、従来の電子ローソク５０の点灯状態は自然感に富むものとは言い難く、ＬＥＤ５３の光で点灯した擬似炎体５２は、本物のローソクの炎にはほど遠い。電子ローソク５０は、寺院の仏壇や葬儀の祭壇など厳粛な場所に置かれることが多いので、極力、点灯した擬似炎体５２が本物のローソクの炎に近くて自然な感じであることが望まれる。
【０００６】
そこで、本発明の目的は、自然感に富む点灯状態を実現することができる電子ローソクを提供することである。
【０００７】
【課題を解決するための手段】
上記目的は請求項記載の発明により達成される。すなわち、本発明に係る電子ローソクの特徴構成は、ローソクの形に似せた外形を有する擬似ローソク体と、ローソクの炎に似せた外形を有して前記擬似ローソク体の上端に配置される透光性の擬似炎体と、この擬似炎体を内側から光らせる電気発光体と、を備えていて、
前記電気発光体が１周期の間に少なくとも３回は他とは異なる強度で発光するようにして、前記電気発光体の発光強度を周期的に変化させる発光体点灯回路を備えることにある。
【０００８】
このように構成されると、発光体点灯回路の働きにより１周期の間に少なくとも３回は他とは異なる強度で発光させられる電気発光体の光で擬似炎体が点灯する一方、点灯した擬似炎体の明るさは、１周期の間に強弱変化に加えその中間の明るさにもなり、従来のような強弱だけの明るさ変化の場合に比べ、本物のローソクの炎に極めて近いゆらぎ感が擬似炎体に生じる。この場合、電気発光体が異なる強度で発光する回数を１周期の間に多くすると、不規則に近い発光状態となり、実質的に不規則な周期で発光させることができることになる。
【０００９】
その結果、従来技術では得られない、自然感に富む点灯状態を実現することができる電子ローソクを提供することができた。
【００１０】
更に、本発明に係る電子ローソクの特徴構成は、ローソクの形に似せた外形を有する擬似ローソク体と、ローソクの炎に似せた外形を有して前記擬似ローソク体の上端に配置される透光性の擬似炎体と、この擬似炎体を内側から光らせる電気発光体と、を備えていて、前記擬似炎体が中実の透光性材料からなっていると共に、前記電気発光体の発光強度を変化させる発光体点灯回路を備えることにある。
【００１１】
このように構成されても、電気発光体から出る光が擬似炎体を通る間にソフトな光となると共に、光の明るい部分が擬似炎体の頂部先端部分に集まるようになり、点灯中の擬似炎体はあたかもローソクの炎のような光を発散することになって、発光体点灯回路による発光強度の変化と共に、本物のローソクの炎に近い自然感に富む点灯状態を実現可能なする電子ローソクを提供することができる。
【００１２】
前記発光体点灯回路が、前記電気発光体の発光強度を１周期の間に略三角波状ないし略鋸歯状に変化させるよう構成されていることが好ましい。
【００１３】
このように構成されると、電気発光体の光で点灯した擬似炎体の明るさの変化が、略三角波状ないし略鋸歯状の滑らかなものとなり、本物のローソクの炎に極めて近いゆらぎ感が擬似炎体に出るので、点灯状態は極めて自然感に富むものとなる。
【００１４】
前記発光体点灯回路は、少なくとも３個の出力チャンネルを有すると共に各出力チャンネルが１周期の間の発光強度の時間的変化に対応して順次に切り換わる構成となっている１個のＩＣ（集積回路）と、１周期の間に時間的に変化する各発光強度の各々に見合った抵抗値を有し、その一端が各々に対応する出力チャンネルに接続されていると共に、他端が電気発光体に接続されている出力チャンネルの数と同一の数の点灯電流規定用の抵抗素子とを具備し、かつ少なくとも３個の抵抗素子は、他とは異なる発光強度となるよう抵抗値が選定されていることが好ましい。
【００１５】
このように構成されると、１周期の間の発光強度の時間的変化に対応して順次に切り換わる出力チャンネルを有する１個のＩＣと、１周期の間に時間的に変化する各発光強度の各々に見合った抵抗値を有する出力チャンネルの数と同一の数の点灯電流規定用の抵抗素子とでもって、簡単に発光体点灯回路の要部構成を実現することができる。
【００１６】
前記ＩＣの出力チャンネルの数が５〜７の範囲にあることが好ましい。
【００１７】
このように構成されていると、ＩＣの出力チャンネルの数が十分にあり、１周期の間の電気発光体の発光強度の変化回数を多くすることができるので、１周期の間の電気発光体の発光強度の変化を、容易に略三角波状ないし略鋸歯状などの好ましいかたちにすることができる。
【００１８】
前記発光体点灯回路には、擬似炎体あるいは擬似ローソク体に触れる度に点灯と消灯を交互に切り換えるためのタッチ式スイッチが配設されていることが好ましい。
【００１９】
このように構成されていると、人の手などが擬似炎体あるいは擬似ローソク体に触れるだけで点灯・消灯が簡単に行えるので、使いやすくて便利である。
【００２０】
前記擬似炎体は、光拡散材が分散混入されている光透過性材料からなることが好ましい。
【００２１】
このように構成されていると、電気発光体から出る光が擬似炎体を通過する間に反射拡散されてソフトな光となるので、点灯状態の擬似炎体はローソクの炎により近くなって都合がよい。光拡散材としては、炭酸カルシウム等のセラミック微粒子やガラス微粒子、あるいは各種の微細な顔料粒子などを使用することができる。その含有量は、重量比で０．０１％〜５％程度分散されていると都合がよく、０．０１％未満では光拡散効果が乏しく、５％を越えて存在すると、照射光が弱くなって好ましくない。
【００２２】
前記電気発光体が白色光放射型発光体であって、この白色光放射型発光体に上部側は赤〜橙系色に着色されて下部側は青系色に着色された光フィルタが被せられていることが好ましい。
【００２３】
このように構成されていると、光フィルタの上部側では発光体から出る白色光のうち赤〜橙系色の光が選択的に透過し、光フィルタの下部側では発光体から出る白色光のうち青系色の光が選択的に透過するので、点灯中の擬似炎体は、先端側が赤みを帯び、下半側が青みを帯びるようになり、擬似炎体は、本物のローソクの炎に近い色合いとなって都合がよい。特に、電気発光体が白色光放射型発光体であると、高級感のある雰囲気を醸しだすことができて好ましい。
【００２４】
【発明の実施の形態】
本発明の実施の形態を、図面を参照して詳しく説明する。図１は本実施形態に係る電子ローソクの全体構成を示す縦断面図（垂直断面図）、図２は電子ローソクの使用時の状態を示す正面図、図３は電子ローソクの電気回路図である。
【００２５】
この電子ローソク１は、図１および図２に示すように、ローソクの形に似せた柱状外形を有すると共に電池Ｅが内に収納（内蔵）できる擬似ローソク体２と、ローソクの炎に似せた外形を有して擬似ローソク体２の上端に配置されている透光性の擬似炎体３と、点灯用の光を発するＬＥＤ（発光ダイオード）４とを備え、電池Ｅを点灯用電源として発光体点灯回路用基板５の制御に従ってＬＥＤ４の光が擬似炎体３を内側から光らせることにより点灯する構成になっている。以下、この電子ローソク１の各部の構成を具体的に説明する。
【００２６】
擬似ローソク体２は、２個の単３電池Ｅと発光体点灯回路用基板５およびＬＥＤ４を下側から順に積み上げて収納できるだけのスペースを持つパイプ型ケース６を有する。このパイプ型ケース６は、長めのメインピース６ａとこのメインピース６ａの上端にネジ結合する短かめのサブピース６ｂとからなり、パイプ型ケース６の下端側には縦方向へ貫通する細穴７ａ付きの栓体７が着脱可能にネジ込まれており、パイプ型ケース６の上端側には擬似炎体３の下端部が抜けないように取り付けられている。また、パイプ型ケース６の内において、図１に示すように、発光体点灯回路用基板５は、両側縁に固定されているストッパー５ａの上端がサブピース６ｂの内側の段部に当たるようにして配置されている他、スプリング８および金属製蓋状体９が電池Ｅと栓体７の間に配置されている。
【００２７】
電池Ｅの収納に際しては、栓体７を外してから電池Ｅをパイプ型ケース６の内部に２個収め、ついでスプリング８および金属製蓋状体９を収めた後、再び栓体７をネジ込むだけである。電池収納後は、スプリング８のバネ力により、上側の電池Ｅの先端が発光体点灯回路用基板５の下端側に設けられている電源用端子５ｂに強く押し当てられる一方、スプリング８自体が下側の電池Ｅの後端と金属製蓋状体９とに強く押し当たって、電池Ｅと発光体点灯回路用基板５が電気的に接続される構成となっている。もとより、金属製蓋状体９と発光体点灯回路基板５の間を電気的に接続する導体（図示略）も必要である。具体的には、メインピース６ａに必要な配線を施したり、あるいは導体材製のメインピース６ａを用いたりして、金属製蓋状体９と発光体点灯回路基板５の間を電気的に接続している。
【００２８】
一方、ＬＥＤ４はスプリング１０を周りに配した状態でパイプ型ケース６の先端近傍に収容されており、ＬＥＤ４のリード端子は発光体点灯回路用基板５に直付けされていて、発光体点灯回路用基板５との電気的・機械的接続が図られている。このスプリング１０は、０．１ｍｍ程度の隙間に配置されており、小さな押圧力で可動するようになっているため、擬似炎体３にわずかに触れるだけで押圧力が発光体点灯回路基板５に伝わるようになっている。
【００２９】
他方、擬似炎体３の内側は中実であって空洞になっておらず、ＬＥＤ４の先端の発光部分が嵌入可能な穴がその底部に形成されていて、ＬＥＤ４をその穴に嵌入することにより、ＬＥＤ４の発する光が擬似炎体３に向けて放射される位置関係となっている。
【００３０】
擬似炎体３は、光拡散材が予め重量比で０．０１％〜５％程度分散混入された光透過性材料（具体的には、アクリル樹脂、エポキシ樹脂、ウレタン樹脂などのプラスチックやガラスなど）によってローソクの炎の形に成形されたものであり、底部の嵌入穴にＬＥＤ４（および次に述べる光フィルターを被覆されたＬＥＤ４）が嵌入されることにより、ＬＥＤ４から出る光が擬似炎体３を通る間に光拡散材で反射拡散されてソフトな光となると共に、光の明るい部分が擬似炎体３の頂部先端部分に集まるようになり、点灯中の擬似炎体３はあたかもローソクの炎のような光を発散することになる。従来技術のように擬似炎体の内部が空洞になっていると、側部に比べて先端部分が一般に厚いため、先端部分に光が集まらず暗いものとなって、本物のローソクとは異なったものとなり易い。
【００３１】
更に、この実施形態の場合、ＬＥＤ４は白色光放射型であって、図４に示すように、上部側１１ａは赤〜橙系色に着色されて下部側１１ｂは青系色に着色された光フィルタ１１がＬＥＤ４に被せてある。その結果、光フィルタ１１の上部側１１ａではＬＥＤ４から出る白色光のうち赤〜橙系色の光が選択的に透過し、光フィルタ１１の下部側１１ｂではＬＥＤ４から出る白色光のうち青系色の光が選択的に透過するので、点灯中の擬似炎体３は、先端側が赤みを帯び、下半側が青みを帯びて、擬似炎体３は本物のローソクの炎に近い色合いとなる。もっとも、ＬＥＤ４の発する光が比較的直進性を有するため、光フィルタ１１の内、赤〜橙系色に着色された上部側１１ａは先端近くの部分にのみ配置されていてもよい。
【００３２】
次に、電子ローソク１の発光体点灯回路まわりを説明する。電子ローソク１の発光体点灯回路は、図３に示すように、６個の出力チャンネルＣＨ１〜ＣＨ６を有すると共に、各出力チャンネルＣＨ１〜ＣＨ６が１周期の間の発光強度の時間的変化に対応してチャンネルＣＨ１〜ＣＨ６の順で次々と切り換わる構成となっている１個のＩＣ（集積回路）１２と、１周期の間に時間的に変化する各発光強度の各々に見合った抵抗値を有し、その一端が各々に対応する出力チャンネルに接続されていると共に、他端がＬＥＤ４に接続されている６個の点灯電流規定用の抵抗素子Ｒ１〜Ｒ６とを具備している。
【００３３】
尚、ＩＣ１２の場合、選択中（オン動作中）の出力チャンネルは、電池Ｅの陰極側と電気的に接続された状態となるので、電池Ｅの陽極→ＬＥＤ４→各抵抗素子Ｒ１〜Ｒ６→各出力チャンネルＣＨ１〜ＣＨ６→電池Ｅの陰極の点灯電流ループが生じ、非選択中（オフ動作中）は、電池Ｅの陰極側と電気的に絶縁された状態となるので、点灯電流ループは断たれる。このようなＩＣ１２としては、例えば中華民国（台湾）の一華社製Ｍ１６００３型ＩＣが例示される。また、ＩＣ１２および抵抗素子Ｒ１〜Ｒ６は、全て発光体点灯回路用基板５に搭載されている。
【００３４】
そして、この発光体点灯回路の場合、構成上の特徴として、ＬＥＤ４が１周期の間に少なくとも３回は他とは異なる強度で発光するようにしてＬＥＤ４の発光強度を周期的に変化させる構成になっており、そのため、抵抗素子Ｒ１〜Ｒ６の中の少なくとも３個の抵抗素子については、ＬＥＤ４が他とは異なる発光強度となるよう抵抗値が選定されている。すなわち、ＬＥＤ４の点灯電流は電池Ｅの電圧ｅと抵抗素子Ｒ１〜Ｒ６の抵抗値ｒの比（ｅ／ｒ）で定まり、ＬＥＤ４の発光強度が点灯電流と比例関係にあるので、この関係に従って抵抗素子Ｒ１〜Ｒ６について発光強度の各々に見合った抵抗値を予め算出選定することになる。具体的には、例えばＬＥＤ４の発光強度が１周期の間に、図５あるいは図６に示すような変化をするよう抵抗素子Ｒ１〜Ｒ６の抵抗値ｒを選定する。
【００３５】
図５の場合、発光強度ＩＡに対応する抵抗素子Ｒ１，Ｒ６が抵抗値ｒａ，発光強度ＩＢに対応する抵抗素子Ｒ２，Ｒ５が抵抗値ｒｂ，発光強度ＩＣに対応する抵抗素子Ｒ３，Ｒ４が抵抗値ｒｃであって、ｒａ＞ｒｂ＞ｒｃの関係にあり、その結果、ＬＥＤ４が１周期の間に３回他とは異なる強度で発光すると共に、ＬＥＤ４の発光強度は１周期の間に略三角波状に変化する。
【００３６】
図６の場合、発光強度Ｉ１に対応する抵抗素子Ｒ１が抵抗値ｒ１，発光強度Ｉ２に対応する抵抗素子Ｒ２が抵抗値ｒ２，発光強度Ｉ４に対応する抵抗素子Ｒ３が抵抗値ｒ３、発光強度Ｉ５に対応する抵抗素子Ｒ４が抵抗値ｒ４，発光強度Ｉ６に対応する抵抗素子Ｒ５が抵抗値ｒ５、発光強度Ｉ３に対応する抵抗素子Ｒ６が抵抗値ｒ６であって、ｒ１＞ｒ２＞ｒ６＞ｒ３＞ｒ４＞ｒ５の関係にあり、その結果、ＬＥＤ４が１周期の間に６回他とは異なる強度で発光すると共に、ＬＥＤ４の発光強度は１周期の間に略鋸歯状に変化する。
【００３７】
以上のように、この電子ローソク１では、発光体点灯回路の働きにより１周期の間に少なくとも３回は他とは異なる強度で発光させられるＬＥＤ４の光で擬似炎体３が点灯する一方、点灯した擬似炎体３の明るさは、１周期の間に強弱変化に加えその中間の明るさにもなり、従来のような強弱だけの明るさ変化の場合に比べ、本物のローソクの炎に遙かに近いゆらぎ感が擬似炎体３に出るので、自然感に富む点灯状態が実現できる。とりわけ、本実施形態の場合、強度の高低変化はあっても、強度が零（消灯）にならないため、本物のローソクの炎に極めて近いゆらぎ感が形成されて自然感に富む点灯状態が実現できるのである。
【００３８】
また、図５や図６のように、ＬＥＤ４の発光強度が１周期の間に略三角波状あるいは略鋸歯状に変化する場合、擬似炎体３の明るさの変化も、略三角波状ないし略鋸歯状の滑らかなものとなり、本物のローソクの炎に極めて近いゆらぎ感が得られる。
【００３９】
更に、ＩＣ１２の出力チャンネルの数は６個で十分な数であり、１周期の間のＬＥＤ４の発光強度の変化回数を多くすることができるので、１周期の間のＬＥＤ４の発光強度の変化を、容易に略三角波状ないし略鋸歯状などの好ましいかたちにすることが可能となる。
【００４０】
加えて、この発光体点灯回路の場合、人の手が擬似炎体３あるいは擬似ローソク体２に触れる度に、点灯と消灯が交互に切り換わるようタッチ式スイッチＳＷが配設されており、人の手が擬似炎体３あるいは擬似ローソク体２に触れるとタッチ式スイッチＳＷを通じてＩＣ１２のオン・オフ端子に信号が入力され、ＩＣ１２がオンの場合はオフとなり、オフの場合はオンとなる。その結果、この電子ローソク１では、擬似炎体３あるいは擬似ローソク体２に触れるだけで点灯・消灯が簡単に行えるので、使いやすくて便利である。タッチ式スイッチＳＷとしては、容量変化を利用する静電方式スイッチやバネ等を組み合わせた接点切り換え機構を利用する機械スイッチなどを使用できる。
【００４１】
尚、この電子ローソク１は寺院の仏壇や葬儀の祭壇などの御灯明として、更にはレストラン、パーティ会場などのソフトな雰囲気を形成する光源として好適であり、例えば図２に示すように、電子ローソク１の栓体７の細穴７ａを燭台ＢＳの針Ｔに刺し込むことにより、簡単に据え付けられる。
【００４２】
〔別実施の形態〕
（１）  上記実施形態の電子ローソク１では、電気発光体としてＬＥＤ４を採用したが、電気発光体はＬＥＤ４に限らず、例えば豆ランプなどであってもよい。
【００４３】
（２）  上記実施形態の電子ローソク１の場合、ＬＥＤ４の発光強度が１周期の間に階段状で略三角波状ないし略鋸歯状に変化する構成であったが、ＬＥＤ４の発光強度が１周期の間に完全に滑らかに略三角波状ないし略鋸歯状に変化する構成も、本発明の別実施の形態として挙げられる。この場合、ＬＥＤ４の発光強度が１周期の間に無限回変化することになる。もっとも、発光強度の変化は図６、７に示した略三角波状ないし略鋸歯状ものに限定されず、更に複雑な変化のもの等、種々の変化を採用できる。
【００４４】
（３）  上記実施形態の電子ローソク１では、パイプ型ケース６の下端側に縦方向へ貫通する細穴７ａ付きの栓体７が着脱可能にネジ込まれる例を示したが、これに代えて、栓体７を固定式にすると共に、燭台ＢＳの針Ｔに強く押しつけた場合にも十分な強度を有する当たり部を細穴７ａの奥側に形成してもよい。このようになっていると、本発明に係る電子ローソクの耐久性が向上して好ましい。その場合、電池Ｅの交換はパイプ型ケース６の上部のサブピース６ｂ側から行えるようにする。
【００４５】
（４）  上記実施形態の電子ローソク１では、人の手が擬似炎体３あるいは擬似ローソク体２に触れる度に、点灯と消灯が交互に切り換わるようタッチ式スイッチＳＷが配設された例を示したが、もとよりいずれか一方にだけ触れると作動するようにしてもよい。又、小さい押圧力で可動可能なバネを介したタッチ式スイッチＳＷに代えて、通常の押圧式スイッチを擬似ローソク体に設けてもよい。
【００４６】
（５）  上記実施形態の擬似炎体３の構成として、光透過性材料に光拡散材を混入させた例を示したが、これに代えてあるいはこれと共に、すりガラスのように表面に微細な凹凸を形成し、擬似炎体から拡散光を放射可能になっていてもよい。
【００４７】
（６）  本発明の電子ローソクにおいて、擬似ローソク体や擬似炎体の大きさ・形およびＬＥＤの１周期の間の発光強度の変化の態様、あるいはＩＣの種類などは、実施形態に示したものに限らず、必要に応じて別の適当な形態をとることができる。
【００４８】
（７）  上記実施形態では、ＬＥＤとして上品で高級感を醸しだす白色光放射型のものを使用した例を示したが、これに限られず、各種の色を放射するＬＥＤを使用可能である。要は、使用場所、使用用途などを考慮して適宜選択すればよい。
【００４９】
（８）  上記実施形態の電子ローソク１では、ＬＥＤ４の電源として電池を用いた例を示したが、これに代えて電源をＡＣ線から得てもよい。
【図面の簡単な説明】
【図１】本発明の一実施形態に係る電子ローソクの全体構成を示す縦断面図
【図２】図１の電子ローソクの使用例を示す正面図
【図３】図１の電子ローソクの電気回路図
【図４】図１の電子ローソクのＬＥＤに被せられる光フィルタを示す正面図
【図５】図１の電子ローソクにおけるＬＥＤの発光強度変化の一例を示すグラフ
【図６】図１の電子ローソクにおけるＬＥＤの発光強度変化の他の例を示すグラフ
【図７】従来の電子ローソクの概略構成を示す正面図
【図８】従来の電子ローソクにおけるＬＥＤの発光強度変化を示すグラフ
【図９】従来の電子ローソクの電気回路図
【符号の説明】
１              電子ローソク
２              擬似ローソク体
３              擬似炎体
４              電気発光体
５              発光体点灯回路用基板
１１            光フィルタ
１１ａ          上部側
１１ｂ          下部側
１２            ＩＣ
ＣＨ１〜ＣＨ６  出力チャンネル
ＩＡ〜ＩＣ      発光強度
Ｉ１〜Ｉ６      発光強度
Ｒ１〜Ｒ６      抵抗素子
ＳＷ            タッチ式スイッチ
【図１】
0004446548.tif 000002
【図２】
0004446548.tif 000003
【図３】
0004446548.tif 000004
【図４】
0004446548.tif 000005
【図５】
0004446548.tif 000006
【図６】
0004446548.tif 000007
【図７】
0004446548.tif 000008
【図８】
0004446548.tif 000009
【図９】
0004446548.tif 000010